(57)【要約】【課題】１度のスクロール操作で、スクロール表示の速度を簡単調節可能にする。【解決手段】画像形成装置１０では、表示部２２と、表示部２２の画面に設けられたタッチパネル２５と、表示部２２の画面にコンテンツを表示させ、タッチパネル２５に対してスクロール操作が行われると、表示部２２の画面上でコンテンツをスクロール操作の方向にスクロール表示させる制御部３１を備える。制御部３１は、タッチパネル２５に対するスクロール操作の開始時のタッチ状態に応じて、コンテンツのスクロール表示の速度を変更する。【選択図】図２
2019211996.tif 000002
【特許請求の範囲】
【請求項１】
表示部と、
前記表示部の画面に設けられたタッチパネルと、
前記表示部の画面にコンテンツを表示させ、前記タッチパネルに対してスクロール操作が行われると、前記表示部の画面上で前記コンテンツを前記スクロール操作の方向に予め定められた規定速度からなる速度でスクロール表示させる制御部と、を備え、
前記制御部は、前記タッチパネルに対する前記スクロール操作の開始時のタッチ状態から連続して前記スクロール操作が行われたときに、前記タッチ状態に応じて前記規定速度から速度を変化させて、前記コンテンツのスクロール表示を行う表示装置。
【請求項２】
前記タッチ状態は、前記タッチパネルに対する前記スクロール操作の開始時の接触圧又は接触面積であり、
前記制御部は、前記スクロール操作の開始時の接触圧又は接触面積が予め設定された閾値未満の場合に前記コンテンツのスクロール表示の速度を前記規定速度に設定し、前記接触圧又は接触面積が前記閾値以上の場合に前記コンテンツのスクロール表示の速度を前記規定速度から増大又は低減させる請求項１に記載の表示装置。
【請求項３】
前記制御部は、前記コンテンツのスクロール表示の速度を前記規定速度から増大又は低減させた後、前記タッチパネルに対して前記スクロール操作とは異なる方向のスクロール操作が行われた場合に、前記コンテンツのスクロール表示の速度を前記規定速度から増大又は低減させた状態で、前記コンテンツを前記異なる方向にスクロール表示させる請求項１又は請求項２に記載の表示装置。
【請求項４】
ユーザーにより操作される操作部を備え、
前記制御部は、ユーザーによる前記操作部の操作に基づき、前記タッチ状態として前記接触圧又は接触面積のいずれかを設定する請求項２に記載の表示装置。
【請求項５】
ユーザーにより操作される操作部を備え、
前記制御部は、ユーザーによる前記操作部の操作に基づき、前記タッチ状態に応じて前記規定速度から変化させる前記コンテンツのスクロール表示の速度を増大又は減少のいずれかに設定する請求項１乃至請求項４のいずれかに記載の表示装置。
【請求項６】
前記接触圧又は接触面積が前記閾値以上になったことを報知する報知部を備え、
前記制御部は、前記タッチパネルに対する前記スクロール操作の開始時に前記接触圧又は接触面積が前記閾値以上になったときに、前記報知部による報知を行わせる請求項２に記載の表示装置。
【請求項７】
前記制御部は、前記タッチ状態に応じて前記規定速度から速度を増大又は低減させて前記コンテンツをスクロール表示させるとき、スクロール可能な残り量に応じて、当該スクロール表示の速度を更に変更する請求項１乃至請求項６のいずれかに記載の表示装置。
【請求項８】
請求項１乃至請求項７のいずれかに記載の表示装置と、
原稿の画像を読取る画像読取部と、
前記画像読取部により読取られた原稿の画像を記録紙に形成する画像形成部と、を備える画像形成装置。
【請求項９】
表示部の画面にコンテンツを表示させ、タッチパネルに対してスクロール操作が行われると、前記表示部の画面上で前記コンテンツを前記スクロール操作の方向に予め定められた規定速度からなる速度でスクロール表示させる制御部ととしてコンピューターを機能させ、
前記制御部が、前記タッチパネルに対する前記スクロール操作の開始時のタッチ状態から連続して前記スクロール操作が行われたときに、前記タッチ状態に応じて前記規定速度から速度を変化させて、前記コンテンツのスクロール表示を行うように、前記コンピューターを機能させる表示制御プログラム。
【発明の詳細な説明】
【技術分野】
【０００１】
本発明は、表示装置、画像形成装置、及び表示制御プログラムに関し、特にコンテンツを表示部の画面にスクロール表示させるための技術に関する。
【背景技術】
【０００２】
表示装置として、表示部の画面にタッチパネルを設け、表示部の画面に対するユーザー操作を、タッチパネルを通じて受け付けて、このユーザー操作に応答して動作するものがある。ユーザー操作には、タッチ操作、スクロール操作（所謂フリック操作やスワイプ操作）などがある。例えば、表示部の画面にコンテンツを表示させた状態で、タッチパネルに対してスクロール操作が行われると、表示部の画面上でコンテンツがスクロール表示される。
【０００３】
また、特許文献１では、スクロールしたい方向へのスクロール操作を複数回行うと、スクロール表示を連続させている。また、連続してスクロールされているときに新たなスクロール操作が検出された場合は、表示部の画面上でのスクロール表示の方向と、新たなスクロール操作の方向とに基づいて表示部の画面上でのスクロール表示の速度を変更している。例えば、スクロール表示の方向と新たなスクロール操作の方向とが一致する場合は、スクロール表示の速度を増大させている。
【先行技術文献】
【特許文献】
【０００４】
【特許文献１】特開２０１３−００３７１８号公報
【発明の概要】
【発明が解決しようとする課題】
【０００５】
ここで、特許文献１では、スクロール表示の方向と新たなスクロール操作の方向とが一致する場合は、スクロール表示の速度を増大させている。従って、同一方向のスクロール操作を繰り返すと、スクロール表示の速度が増大される。
【０００６】
しかしながら、ユーザーは、スクロール表示の開始当初から高いスクロール表示の速度を望んでいても、１度の操作で高いスクロール表示の速度を設定することができず、同一方向のスクロール操作を繰り返さねばならないという煩わしさがあった。
【０００７】
そこで、本発明は、１度のスクロール操作でスクロール表示の速度を簡単に調節可能にすることを目的とする。
【課題を解決するための手段】
【０００８】
本発明の一局面にかかる表示装置は、表示部と、前記表示部の画面に設けられたタッチパネルと、前記表示部の画面にコンテンツを表示させ、前記タッチパネルに対してスクロール操作が行われると、前記表示部の画面上で前記コンテンツを前記スクロール操作の方向に予め定められた規定速度からなる速度でスクロール表示させる制御部と、を備え、前記制御部は、前記タッチパネルに対する前記スクロール操作の開始時のタッチ状態から連続して前記スクロール操作が行われたときに、前記タッチ状態に応じて前記規定速度から速度を変化させて、前記コンテンツのスクロール表示を行うものである。
【０００９】
また、本発明の別の一局面にかかる画像形成装置は、上記本発明の表示装置と、原稿の画像を読取る画像読取部と、前記画像読取部により読取られた原稿の画像を記録紙に形成する画像形成部と、を備えるものである。
【００１０】
また、本発明の別の一局面にかかる表示制御プログラムは、表示部の画面にコンテンツを表示させ、タッチパネルに対してスクロール操作が行われると、前記表示部の画面上で前記コンテンツを前記スクロール操作の方向に予め定められた規定速度からなる速度でスクロール表示させる制御部ととしてコンピューターを機能させ、前記制御部が、前記タッチパネルに対する前記スクロール操作の開始時のタッチ状態から連続して前記スクロール操作が行われたときに、前記タッチ状態に応じて前記規定速度から速度を変化させて、前記コンテンツのスクロール表示を行うように、前記コンピューターを機能させるものである。
【発明の効果】
【００１１】
本発明によれば、１度のスクロール操作で、スクロール表示の速度を簡単に調節することが可能になる。
【図面の簡単な説明】
【００１２】
【図１】本発明の一実施形態にかかる画像形成装置を示す断面図である。
【図２】本実施形態の画像形成装置の主要内部構成を示すブロック図である。
【図３】表示部の画面に表示されているコンテンツをスクロール表示させるための処理手順を示すフローチャートである。
【図４】（Ａ）〜（Ｄ）は、表示部の画面における表示されているコンテンツのスクロール表示の過程を説明するために用いた図である。
【図５】（Ａ）（Ｂ）は、コンテンツをスクロール表示させるときにおける、当該コンテンツのスクロール表示対象領域の残り量を示す図である。
【発明を実施するための形態】
【００１３】
以下、本発明の実施形態について図面を参照して説明する。
【００１４】
図１は、本発明にかかる一実施形態の画像形成装置を示す断面図である。本実施形態の画像形成装置１０は、例えば、コピー機能、プリンター機能、スキャナー機能のような複数の機能を兼ね備えたＭＦＰ（複合機）である。この画像形成装置１０は、画像読取部１１と、画像形成部１２とを備えている。
【００１５】
画像読取部１１は、原稿の画像を光学的に読み取る撮像素子を有しており、この撮像素子のアナログ出力がデジタル信号に変換されて、原稿の画像を示す画像データが生成される。
【００１６】
画像形成部１２は、上記画像データによって示される画像を記録紙に印刷するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙ＰＲに２次転写される。
【００１７】
この後、定着装置１５で記録紙ＰＲが加熱及び加圧されて、記録紙ＰＲ上のトナー像が熱圧着により定着され、更に記録紙ＰＲが排出ローラー１６を通じて排出トレイ１７に排出される。
【００１８】
次に、画像形成装置１０の制御に係る構成について説明する。図２は、画像形成装置１０の主要内部構成を示す機能ブロック図である。図２に示すように画像形成装置１０は、制御ユニット２１、表示部２２、操作部２４、タッチパネル２５、記憶部２８、画像読取部１１、及び画像形成部１２などを備えている。これらの構成要素は、互いにバスを通じてデータ又は信号の送受信が可能とされている。
【００１９】
表示部２２は、液晶ディスプレイ（ＬＣＤ：Liquid Crystal Display）や有機ＥＬ（ＯＬＥＤ：Organic Light-Emitting Diode）ディスプレイなどから構成される。
【００２０】
操作部２４は、テンキー、決定キー、スタートキーなどのハードキーを備えている。
【００２１】
表示部２２の画面には、タッチパネル２５が重ねられている。タッチパネル２５は、タッチパネル２５に対するユーザーの指などの接触（タッチ）をその接触位置と共に検知し、表示部２２の画面に対するユーザーの指示を入力する。従って、タッチパネル２５は、表示部２２の画面に対するユーザー操作が入力される操作部としての役割を果たす。また、タッチパネル２５は、例えば透光性の圧電フィルムや感圧層などを備え、指などによる接触圧Ｐ又は接触面積Ｓの検出を可能にするものである。
【００２２】
記憶部２８は、大容量のＳＳＤ（Solid State Drive）、ＨＤＤ（Hard Disk Drive）などからなり、各種のデータやプログラムを記憶している。
【００２３】
制御ユニット２１は、プロセッサー、ＲＡＭ(Random Access Memory）、及びＲＯＭ（Read Only Memory）などから構成される。プロセッサーは、例えばＣＰＵ（Central Processing Unit）、ＡＳＩＣ（Application Specific Integrated Circuit）、又はＭＰＵ（Micro Processing Unit）等である。この制御ユニット２１は、上記のＲＯＭ又は記憶部２８に記憶された制御プログラムが上記プロセッサーで実行されることにより、制御部３１として機能する。なお、制御部３１は、前述の制御プログラムに基づく動作によらず、ハード回路により構成されてもよい。
【００２４】
制御部３１は、画像形成装置１０の全体的な動作制御を司る。また、制御ユニット２１は、表示部２２、タッチパネル２５、及び記憶部２８などと接続されている。制御部３１は、上記各構成の動作制御や、各構成との間での信号またはデータの送受信を行う。
【００２５】
制御部３１は、種々の処理を実行する処理部としての役割を果たす。また、制御部３１は、表示部２２の表示動作を制御する機能を有する。
【００２６】
また、制御部３１は、タッチパネル２５から出力される検知信号に基づき、ユーザーにより入力されたユーザー操作を特定する。そして、制御部３１は、特定したユーザー操作を受け付けて、このユーザー操作に応答動作する。
【００２７】
上記ユーザー操作には、タッチ操作、スクロール操作（所謂フリック操作やスワイプ操作）などがある。例えば、ユーザーがタッチパネル２５に指を接触（タッチ）させて直ちに離すと、タッチパネル２５は、接触を検知した位置を示す検知信号を制御部３１に出力する。制御部３１は、該検知信号を入力すると、この検知信号に基づきユーザー操作がタッチ操作であることを判定し、このタッチ操作を受け付ける。このタッチ操作は、例えば表示部２２の画面上のソフトキーに対して行われる。
【００２８】
また、ユーザーが指をタッチパネル２５に接触（タッチ）させた状態で移動させると、タッチパネル２５は、最初に接触を検出した初期位置から最後に接触を検出した最終位置までの各移動位置を示す検知信号を制御部３１に出力する。制御部３１は、該検知信号を入力すると、この検知信号に基づきユーザー操作がスワイプ操作であること、及びスワイプ操作の方向を判定し、このスワイプ操作を受け付ける。制御部３１は、このスワイプ操作に応じて表示部２２の画面に表示されているテキストや画像などのコンテンツを、スクロール操作の方向に、予め定められた規定速度からなる速度でスクロール表示させる。
【００２９】
また、ユーザーがタッチパネル２５に指を接触（タッチ）させると同時にすばやく移動させて、タッチパネル２５から指を離すと、つまり指によりタッチパネル２５をはじくような操作を行うと、タッチパネル２５は、最初に接触を検出した初期位置から最後に接触を検出した最終位置までの各移動位置を示す検知信号を制御部３１に出力する。制御部３１は、該検知信号を入力すると、この検知信号に基づき短時間での素早い接触位置の変化を検出して、ユーザー操作がフリック操作であること、及びフリック操作の方向を判定し、このフリック操作を受け付ける。制御部３１は、このフリック操作に応じて表示部２２の画面に表示されているテキストや画像などのコンテンツをスクロール表示させる。
【００３０】
更に、制御部３１は、タッチパネル２５の検知信号に基づき、タッチパネル２５に対する指などによるスクロール操作の開始時の接触圧Ｐを検出する。制御部３１は、タッチパネル２５に対するスクロール操作の開始時のタッチ状態から連続してスクロール操作が行われたときに、上記タッチ状態に応じて上記規定速度から速度を変化させて、コンテンツをスクロール表示させる。ここでは、上記タッチ状態を接触圧Ｐとし、制御部３１は、接触圧Ｐに応じて表示部２２の画面上でのコンテンツのスクロール表示の速度を変更する。
【００３１】
すなわち、本実施形態では、制御部３１がタッチパネル２５に対するスクロール操作の開始時の接触圧Ｐを検出し、制御部３１がその接触圧Ｐに応じて表示部２２の画面上のコンテンツのスクロール表示の速度を調節する。
【００３２】
このような構成の画像形成装置１０において、ユーザーは、上記のようなタッチパネル２５に対するスクロール操作により表示部２２の画面上でコンテンツをスクロール表示させ、更に、１度のスクロール操作で、スクロール表示の速度を簡単に調節することが可能になる。
【００３３】
次に、本実施形態の画像形成装置１０において、表示部２２の画面に表示されているコンテンツをスクロール表示させるための処理手順を、図３に示すフローチャートなどを参照して説明する。
【００３４】
例えば、制御部３１が、図４（Ａ）に示すように表示部２２の画面にコンテンツＣを表示させているものとする。
【００３５】
制御部３１は、タッチパネル２５に対するユーザー操作を待機しており（Ｓ１０１「Ｎｏ」）、ユーザー操作が行われると（Ｓ１０１「Ｙｅｓ」）、タッチパネル２５を通じて、ユーザー操作の開始時の接触位置を検出すると共に該接触位置の接触圧Ｐを検出する（Ｓ１０２）。そして、制御部３１は、ユーザー操作がスクロール操作（スワイプ操作又はフリック操作）であるか否かを判定する（Ｓ１０３）。制御部３１は、ユーザー操作がスクロール操作でないと判定すると（Ｓ１０３「Ｎｏ」）、スクロール操作とは異なるユーザー操作に基づく応答処理を実行する（Ｓ１０４）。例えば、ユーザー操作がアイコン（コンテンツの一例）に対するタッチ操作である場合、制御部３１は、アイコンに対するタッチ操作を判定して、アイコンに対応する処理を実行する。この後、Ｓ１０１の処理に戻る。
【００３６】
また、制御部３１は、ユーザー操作がスクロール操作であると判定すると（Ｓ１０３「Ｙｅｓ」）、Ｓ１０２で検出した接触位置の接触圧Ｐが予め設定された閾値Ｈ以上であるか否かを判定する（Ｓ１０５）。
【００３７】
例えば、制御部３１は、Ｓ１０３で検出した接触位置の接触圧Ｐが閾値Ｈ未満であると判定すると（Ｓ１０５「Ｎｏ」）、通常のスクロール表示の第１速度Ｖ１を上記規定速度として設定する（Ｓ１０６）。そして、制御部３１は、スクロール操作の方向が上方向（予め定められた一方向）又は下方向（当該予め定められた一方向の反対方向）のいずれであるかを判定し（Ｓ１０７）、スクロール操作の方向が上方向であると判定すると、スクロール表示に用いる速度及び方向としての第１速度Ｖ１及び上方向を設定し、またスクロール操作の方向が下方向であると判定すると、スクロール表示に用いる速度及び方向として第１速度Ｖ１及び下方向を設定する。制御部３１は、記憶部２８に予め記憶されているコンテンツＣの画像データに基づき、図４（Ｂ）に示すように表示部２２の画面上でコンテンツＣを、上記設定した第１速度Ｖ１でかつその指示された方向にスクロール表示させる（Ｓ１０８）。
【００３８】
また、制御部３１は、Ｓ１０３で検出した接触位置の接触圧Ｐが閾値Ｈ以上であると判定すると（Ｓ１０５「Ｙｅｓ」）、通常のスクロール表示の第１速度Ｖ１よりも速い予め定められた第２速度Ｖ２をスクロール表示に用いる速度として設定し、また、閾値Ｈ以上の大きな接触圧Ｐを示すマークＭＫを表示させ、Ｓ１０３で検出した接触位置を記憶する（Ｓ１０９）。制御部３１は、図４（Ｃ）に示すように表示部２２の画面の当該接触位置にマークＭＫを一時的に表示させる。このマークＭＫの表示により、大きな接触圧Ｐでタッチ操作されたことをユーザーに報知する。
【００３９】
そして、制御部３１は、スクロール操作の方向が上方向及び下方向のいずれであるかを判定し（Ｓ１１０）、スクロール操作の方向が上方向であると判定すると、第１速度Ｖ１よりも速いスクロール表示の第２速度Ｖ２及び上方向を、スクロール表示に用いる速度及び方向として設定し、またスクロール操作の方向が下方向であると判定すると、第２速度Ｖ２及び下方向をスクロール表示に用いる速度及び方向として設定する。制御部３１は、記憶部２８に予め記憶されているコンテンツＣの画像データに基づき、図４（Ｄ）に示すように表示部２２の画面上でコンテンツＣを、第１速度Ｖ１よりも速い第２速度Ｖ２でかつ上記設定した方向にスクロール表示させる（Ｓ１１１）。
【００４０】
従って、ユーザーは、タッチ操作の接触圧Ｐが閾値Ｈ未満となるようにタッチパネル２５に対する軽いタッチ操作からスクロール操作を開始すると、通常の第１速度Ｖ１（既定値の速度）でスクロール表示を行わせることができ、またタッチ操作の接触圧Ｐが閾値Ｈ以上となるようにタッチパネル２５に対する強いタッチ操作からスクロール操作を開始すると、第１速度Ｖ１よりも速い第２速度Ｖ２でスクロール表示を行わせることができる。すなわち、ユーザーは、スクロール操作の開始時のタッチ操作を軽くしたり強くしたりすることで、スクロール表示の速度を調節することができる。
【００４１】
ユーザーは、スクロール操作を開始するときに表示部２２に対して指で強めのタッチ操作を行ってから、当該指を表示部２２の画面上から離さずそのままスライドさせることによって、第１速度Ｖ１よりも速い第２速度Ｖ２でスクロール表示を行わせることができるので、ユーザー自身が強めの表示部２２に付与することでスクロール表示速度を速くしたような感覚を持って、スクロール表示速度を変化させる操作を行うことが可能になる。
【００４２】
また、制御部３１は、スクロール表示によりコンテンツＣの表示対象領域が残っているかを判断し（Ｓ１１２）、コンテンツＣの全ての領域をスクロール表示により表示させて、コンテンツＣの表示対象領域がなくなったと判断したときは（Ｓ１１２で「Ｙｅｓ」）、処理を終了する。
【００４３】
一方、制御部３１は、スクロール表示によりコンテンツＣの表示対象領域が残っていると判断したとき（Ｓ１１２で「Ｎｏ」）、タッチパネル２５に対してユーザー操作が更に行われたか否かを判定する（Ｓ１１３）。
【００４４】
例えば、制御部３１は、ユーザー操作が行われることなく（Ｓ１１３「Ｎｏ」）、コンテンツＣの表示対象領域がなくなったと判断したときは（Ｓ１１２で「Ｙｅｓ」）、処理を終了する。この後、Ｓ１０１からの処理が再開される。
【００４５】
また、制御部３１は、スクロール表示によりコンテンツＣの表示対象領域が残っていると判断しているときに（Ｓ１１２で「Ｎｏ」）、ユーザー操作が行われたと判断すると（Ｓ１１３「Ｙｅｓ」）、このユーザー操作がタッチ操作及びスクロール操作のいずれであるかを判定する（Ｓ１１４）。
【００４６】
このとき、制御部３１は、ユーザー操作がタッチ操作であると判定すると（Ｓ１１４「タッチ」）、スクロール表示を停止させ（Ｓ１１５）、図３の処理を一旦終了して、Ｓ１０１からの処理を再開する。
【００４７】
また、制御部３１は、ユーザー操作がスクロール操作であると判定すると（Ｓ１１４「スクロール」）、すなわち再度のスクロール操作が行われた場合には、当該再度のスクロール操作の方向が表示部２２の画面上のコンテンツのスクロール表示の方向に対して同一方向であるか否かを判定する（Ｓ１１６）。
【００４８】
そして、制御部３１は、再度のスクロール操作の方向が表示部２２の画面上のコンテンツのスクロール表示の方向と同一方向であると判定すると（Ｓ１１６「Ｙｅｓ」）、スクロール表示をそのままの速度及び方向で維持する（Ｓ１１７）。
【００４９】
また、制御部３１は、再度のスクロール操作の方向が表示部２２の画面上のコンテンツのスクロール表示の方向に対して反対方向であると判定すると（Ｓ１１６「Ｎｏ」）、スクロール表示の方向を反対向きに変更し、Ｓ１０６又はＳ１０９で設定されたスクロール表示の第１速度Ｖ１又は第２速度Ｖ２を再設定する（Ｓ１１８）。例えば、Ｓ１０６で通常のスクロール表示の第１速度Ｖ１が設定されて、上方向にスクロール表示されて来た（又は下方向にスクロール表示されて来た）場合は、通常のスクロール表示の第１速度Ｖ１が再設定されて、下方向のスクロール表示（又は上方向のスクロール表示）が開始される。また、Ｓ１０９で第１速度Ｖ１よりも速い第２速度Ｖ２が設定されて、上方向にスクロール表示されて来た（又は下方向にスクロール表示されて来た）場合は、第１速度Ｖ１よりも速い第２速度Ｖ２が再設定されて、下方向のスクロール表示（又は上方向のスクロール表示）が開始される。この後、Ｓ１１２からの処理が繰り返される。
【００５０】
このように本実施形態では、タッチパネル２５に対する軽いタッチ操作からスクロール操作が開始されると、通常の第１速度Ｖ１でスクロール表示が行われ、またタッチパネル２５に対する強いタッチ操作からスクロール操作が開始されると、第１速度Ｖ１よりも速い第２速度Ｖ２でスクロール表示が行われる。このため、ユーザーは、スクロール操作の開始時のタッチ操作を軽くしたり強くしたりすることで、スクロール表示の速度を調節することができ、よって１度のスクロール操作で、スクロール表示の速度を簡単に調節することがきる。
＜変形例１＞
【００５１】
変形例１では、接触圧Ｐに代えて、制御部３１が、タッチパネル２５に対する指などによる接触面積Ｓを検出し、この接触面積Ｓに応じて表示部２２の画面上でのコンテンツのスクロール表示の速度を変更する。
【００５２】
この場合、制御部３１は、タッチパネル２５からの検出信号に基づいて、ユーザー操作の開始時の接触位置を検出すると共にこの接触位置の接触面積Ｓを検出する。そして、制御部３１は、そのユーザー操作がスクロール操作であると判定しかつその接触位置の接触面積Ｓが予め設定された閾値Ｊ未満であると判定した場合には、通常のスクロール表示である第１速度Ｖ１及びスクロール操作の方向を制御部３１に指示する。また、制御部３１は、そのユーザー操作がスクロール操作であると判定しかつその接触位置の接触面積Ｓが閾値Ｊ以上であると判定した場合に、第１速度Ｖ１よりも速い第２速度Ｖ２及びスクロール操作の方向を制御部３１に指示する。制御部３１は、表示部２２の画面上でコンテンツＣを、このようにユーザーにより指示された第１速度Ｖ１又は第２速度Ｖ２でかつその指示された方向にスクロール表示させる。
＜変形例２＞
【００５３】
変形例２では、操作部２４又はタッチパネル２５の操作により接触圧Ｐ又は接触面積Ｓを選択できるようにしている。
【００５４】
例えば、ユーザーが、操作部２４又はタッチパネル２５を操作して、接触圧Ｐ及び接触面積Ｓのいずれかを選択する指示を入力すると、制御部３１は、この指示に基づいて接触圧Ｐ又は接触面積Ｓの選択を受け付け、この選択された接触圧Ｐ又は接触面積Ｓに基づいて、上述したようにスクロール表示の速度を設定してスクロール表示を行う。
＜変形例３＞
【００５５】
変形例３では、制御部３１は、スクロール操作の開始時のタッチ操作の接触圧Ｐが閾値Ｈ以上である場合に、又は接触面積Ｓが閾値Ｊ以上である場合に、第１速度Ｖ１よりも速い上記の第２速度Ｖ２に代えて、第１速度Ｖ１よりも遅い第３速度Ｖ３で、表示部２２の画面上でコンテンツをスクロール表示させる。
【００５６】
例えば、制御部３１が、スクロール操作の開始時のタッチ操作の接触圧Ｐが閾値Ｈ未満であると判定すると、制御部３１が、表示部２２の画面上でコンテンツを通常の第１速度Ｖ１でスクロール表示させる。また、制御部３１が、スクロール操作の開始時のタッチ操作の接触圧Ｐが閾値Ｈ以上であると判定すると、制御部３１が、表示部２２の画面上でコンテンツを、第１速度Ｖ１よりも遅い第３速度Ｖ３でスクロール表示させる。
【００５７】
同様に、制御部３１が、スクロール操作の開始時のタッチ操作の接触面積Ｓが閾値Ｊ未満であると判定すると、制御部３１が、表示部２２の画面上でコンテンツを、通常の第１速度Ｖ１でスクロール表示させ、接触面積Ｓが閾値Ｊ以上であると判定した場合は、第１速度Ｖ１よりも遅い第３速度Ｖ３でスクロール表示させる。
【００５８】
更に、ユーザーが操作部２４又はタッチパネル２５を操作して、第２速度Ｖ２又は第３速度Ｖ３のいずれを用いてスクロール表示制御を行うかの指示を入力すると、制御部３１は、この指示が示す第２速度Ｖ２又は第３速度Ｖ３を用いて、スクロール操作の開始時のタッチ操作の接触圧Ｐが閾値Ｈ以上である場合、又は接触面積Ｓが閾値Ｊ以上である場合における、スクロール表示の速度変更を行うようにしてもよい。
＜変形例４＞
【００５９】
変形例４では、制御部３１が、スクロール操作の開始時のタッチ操作の接触圧Ｐが閾値Ｈ以上である場合、又は接触面積Ｓが閾値Ｊ以上である場合にスクロール表示の速度変更を行うとき、コンテンツＣをスクロール表示させるときにおける、コンテンツＣのスクロール表示対象領域のスクロール表示の残り量を検出し、当該残り量に応じて、当該スクロール表示の速度を設定する。例えば、制御部３１は、当該スクロール表示の速度変更を行うとき、(i)スクロール表示させるコンテンツＣの表示対象領域の残り量が、予め定められた閾値Ｍ以上である場合は、スクロール表示の速度を第２速度Ｖ２に設定し、(ii)スクロール表示させるコンテンツＣの表示対象領域の残り量が上記閾値Ｍ未満である場合には、スクロール表示の速度を第２速度Ｖ２に設定せず、第１速度Ｖ１に設定する。
【００６０】
図５（Ａ）に例を示すように、スクロール表示可能なコンテンツＣの表示対象領域の全体が全体量ＭＨであるとき、例えば、閾値Ｍを全体量ＭＨの３分の１とする。これにより、例えば、スクロール表示させるコンテンツＣの表示対象領域の残り量が全体量ＭＨに近い状態（図５（Ａ））、或いは、当該残り量が閾値Ｍ以上となっている状態では、制御部３１は、スクロール操作の開始時のタッチ操作の接触圧Ｐが閾値Ｈ以上である場合、又は接触面積Ｓが閾値Ｊ以上である場合にスクロール表示の速度を第２速度Ｖ２に設定する。また、図５（Ｂ）に示すように、上記残り量が閾値Ｍ未満となっている状態では、制御部３１は、スクロール操作の開始時のタッチ操作の接触圧Ｐが閾値Ｈ以上である場合、又は接触面積Ｓが閾値Ｊ以上である場合であっても、スクロール表示の速度を第１速度Ｖ１に設定する。
【００６１】
これにより、スクロール表示させるコンテンツＣの表示対象領域の残り量が比較的少ない場合に、スクロール表示の速度が、第１速度Ｖ１よりも速い第２速度Ｖ２となって、スクロール表示が即座に終了してしまうような事態を回避することが可能になる。
＜変形例５＞
【００６２】
変形例５では、スクロール操作の開始時のタッチ操作の接触圧Ｐ又は接触面積Ｓが閾値以上となったときに、これを報知するためのバイブレーターを設ける。
【００６３】
制御部３１は、スクロール操作の開始時のタッチ操作の接触圧Ｐ又は接触面積Ｓが閾値以上であると判定した場合に、上記バイブレーターを一時的に起動させる。このバイブレーターの振動により大きな接触圧Ｐ又は接触面積Ｓでタッチ操作されたことをユーザーに知らせる。
【００６４】
また、画像形成装置１０が制御部３１により制御可能なスピーカーを備え、制御部３１が当該スピーカーに一時的に音声を発音させることにより、上記閾値以上の接触圧Ｐ又は接触面積Ｓでタッチ操作されたことを報知するようにしてもよい。
【００６５】
更に、バイブレーターの振動、上記実施形態のように表示部２２の画面におけるタッチ操作の接触位置にマークＭＫを表示させること、及び音声の発音を適宜組み合わせて併用してもよい。なお、上記バイブレーター、スピーカー、及び表示部２２が、特許請求の範囲における報知部の一例となる。
【００６６】
尚、上記実施形態で説明した画像形成装置１０による表示方法は、上記のＲＯＭ又は記憶部２８に記憶された制御プログラムとして提供することができる。この制御プログラムは、コンピューターにより読み取り可能な非一時的な記録媒体、例えば、ハードディスク、ＣＤ−ＲＯＭ、ＤＶＤ−ＲＯＭ、半導体メモリーなどに記録される。この場合、当該制御プログラムを記録したコンピューターにより読み取り可能な非一時的な記録媒体が、本発明の一実施形態となる。
【００６７】
また、上記実施形態では、図１乃至図５を用いて上記実施形態により示した構成及び処理は、本発明の一実施形態に過ぎず、本発明を当該構成及び処理に限定する趣旨ではない。
【符号の説明】
【００６８】
１０      画像形成装置
１１      画像読取部
１２      画像形成部
２１      制御ユニット
２２      表示部
２４      操作部
２５      タッチパネル
２８      記憶部
３１      制御部
【図１】
2019211996.tif 000003
【図２】
2019211996.tif 000004
【図３】
2019211996.tif 000005
【図４】
2019211996.tif 000006
【図５】
2019211996.tif 000007